(57)【要約】【課題】トイレブース１等のブースの出入り口Ｅに設けられる円弧状ドア装置において、円弧軌跡に沿って開閉移動する戸体５の下部の開閉ガイドをするガイドローラ２１を設けるにあたり、戸体５の下部の振れを確実に抑止できるようにするとともに、閉鎖状態、開放状態での戸体５の引き残し部分を少なくできるようにする。【解決手段】戸体５の移動方向に沿って間隔を存する状態で複数のガイドローラ２１ａ、２１ｂを設けるとともに、これらガイドローラ２１ａ、２１ｂを、出入り口Ｅの戸尻側に配される戸尻側前面パネル体３よりも戸先側で、且つ、戸尻側前面パネル体３のブース内外両側面３ｂ、３ａの延長線Ｌ１，Ｌ２間に位置するように設けた。【選択図】図８
2019148138.tif 000002
【特許請求の範囲】
【請求項１】
ブース前部に配される戸先側、戸尻側の両前面パネル体のあいだに形成される出入り口を開閉するためのブース用の円弧状ドア装置であって、該円弧状ドア装置を、出入り口をスライド移動して開閉する円弧状の戸体と、出入り口の上部からブース内上部に至るよう配され、前記戸体を吊持する状態で前記円弧状戸体の開閉スライド移動を円弧軌跡を描く状態で案内する円弧状の吊りレールと、戸体円弧に沿う状態で戸体の下部に設けられるガイド溝と、出入り口の戸尻側に配され、前記ガイド溝に相対移動自在に係合して戸体下部の開閉ガイドをするガイド体とを備えて構成するにあたり、該ガイド体は、戸体の移動方向に沿って間隔を存する状態で複数設けられ、これら複数のガイド体の少なくとも一つは、前記戸尻側前面パネル体よりも戸先側で、且つ、戸尻側前面パネル体のブース内外両側面の延長線間に位置するように設けられることを特徴とするブース用の円弧状ドア装置。
【請求項２】
ガイド体は、該ガイド体が取付支持される支持部材を介して戸尻側前面パネル体に支持されるとともに、前記支持部材は、戸尻側前面パネル体の戸先側縁部に外嵌されるエッジ部材を位置決め部材として戸尻側前面パネル体に位置めされた状態で取付けられることを特徴とする請求項１記載のブース用の円弧状ドア装置。
【発明の詳細な説明】
【技術分野】
【０００１】
本発明は、トイレブースやシャワーブース等の仕切られた（区画された）ブース（部屋）の出入り口に建て付けられるブース用の円弧状ドア装置の技術分野に関するものである。
【背景技術】
【０００２】
今日、トイレブース等の仕切られたブースの出入り口に建て付けられるドア装置として円弧状の戸体を円弧軌跡に沿ってスライド移動させることで出入り口の開閉をするようにした所謂円弧状ドア装置が提唱されている。このような円弧状ドア装置としては、従来から、ブース前部に配される戸先側、戸尻側の両前面パネル体にあいだに出入り口を形成するとともに、該出入り口をスライド移動して開閉する円弧状の戸体と、出入り口の上部からブース内上部に至るように配されて前記戸体を吊持する状態で戸体の開閉スライド移動をガイドする円弧状の吊りレールとを備えて構成したものが知られている（例えば、特許文献１参照。）。
ところで、前記特許文献１のように円弧状の吊りレールに吊持された円弧状の戸体で出入り口を開閉するように構成されたものでは、戸体の下部の開閉ガイドするガイド部材が設けられていないと、戸体の開閉時に戸体の下部が振れて円滑な開閉作動を行えない惧れがある。特に、戸体を勢い良く開閉すると、戸体に遠心力が働いて戸体の下部が外方側（前方側、外径側）に大きく振れて、円滑な開閉作動の妨げとなる。
一方、通常の平面状の戸体を用いたスライド式ドア装置においては、戸体の下部にガイド溝を設ける一方、躯体側に該ガイド溝に係合するガイド体を設け、戸体の開閉移動に伴いガイド体がガイド溝を相対移動することで戸体の下部の振れを抑止することが汎用的に行われている。そこで、前記円弧状ドア装置においても、このようなガイド溝とガイド体とを設けて戸体の下部の振れを抑止することが提唱されるが、この場合、戸体の開閉移動軌跡は円弧状となるため、ガイド体が一つしか設けられていないと、戸体の径方向の振れに対してガイド体が有効に働かず、戸体の下部の振れを抑止する機能に劣るという問題がある。
そこで、円弧状の戸体の下部に内外のレールを設ける一方、出入り口の戸尻側の前壁部のブース内側面に、前記戸体側の内外のレールにそれぞれ圧接する第１、第２ローラを設けて、戸体の下部の横振れを抑止するようにした技術（例えば、特許文献２参照。）が提唱されている。このものでは、第１、第２ローラの二つのガイド体が設けられているため、ガイド体が一つしか設けられていない場合と比して、戸体の下部の振れを抑止する機能の向上が図れる。
【先行技術文献】
【特許文献】
【０００３】
【特許文献１】特開平１１−７１９２３号公報
【特許文献２】特開２００１−２１４６５９号公報
【発明の概要】
【発明が解決しようとする課題】
【０００４】
ところで、円弧状の戸体の開閉時に戸体に働く遠心力は、前述したように、戸体の下部を外方側に振らすように作用するが、該戸体の下部を外方側に振らす遠心力は、前記特許文献２のように戸体の下部に係合するガイド体が設けられたものでは、該ガイド体が受けることになる。この場合、特許文献２のものでは、ガイド体となる第１、第２ローラは戸体側の内外のレールにそれぞれ圧接するように構成されているため、内側レールに当接する第１ローラのみが、戸体の下部を外方側に振らす遠心力を受けることになる。しかしながら、このように遠心力を受ける箇所が一箇所のみであると、該遠心力を受ける箇所を中心として戸体に歪みが生じ、該歪みがブレーキとして作用して戸体を円滑に開閉させることができないという問題が生じる。
さらに、特許文献２の第１、第２ローラのように戸体の下部に係合するガイド体を設ける場合、該ガイド体は、戸体の閉鎖状態、開放状態の両方において戸体側に係合する位置に設ける必要があるが、特許文献２のものでは、第１、第２ローラは共に戸尻側前壁部のブース内側面に設けられている。このため、閉鎖状態においても第１、第２ローラと戸体側の内外レールとの係合が解除されないよう、閉鎖状態の戸体の引き残し部分（閉鎖状態において戸体がブース内に引き込まれている部分）を、前記係合の分だけ長めに設定する必要が生じる。しかしながら、閉鎖状態の戸体の引き残し部分を長く設定すると、その分戸体の左右幅が長くなって、戸体閉鎖状態でのブース内のスペースを狭くするうえ、コストも高くなるという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、ブース前部に配される戸先側、戸尻側の両前面パネル体のあいだに形成される出入り口を開閉するためのブース用の円弧状ドア装置であって、該円弧状ドア装置を、出入り口をスライド移動して開閉する円弧状の戸体と、出入り口の上部からブース内上部に至るよう配され、前記戸体を吊持する状態で前記円弧状戸体の開閉スライド移動を円弧軌跡を描く状態で案内する円弧状の吊りレールと、戸体円弧に沿う状態で戸体の下部に設けられるガイド溝と、出入り口の戸尻側に配され、前記ガイド溝に相対移動自在に係合して戸体下部の開閉ガイドをするガイド体とを備えて構成するにあたり、該ガイド体は、戸体の移動方向に沿って間隔を存する状態で複数設けられ、これら複数のガイド体の少なくとも一つは、前記戸尻側前面パネル体よりも戸先側で、且つ、戸尻側前面パネル体のブース内外両側面の延長線間に位置するように設けられることを特徴とするブース用の円弧状ドア装置である。
請求項２の発明は、ガイド体は、該ガイド体が取付支持される支持部材を介して戸尻側前面パネル体に支持されるとともに、前記支持部材は、戸尻側前面パネル体の戸先側縁部に外嵌されるエッジ部材を位置決め部材として戸尻側前面パネル体に位置めされた状態で取付けられることを特徴とする請求項１記載のブース用の円弧状ドア装置である。
【発明の効果】
【０００６】
請求項１の発明とすることにより、戸体に遠心力が作用しても円滑な開閉作動を行えるとともに、戸体閉鎖状態および開放状態での戸体の引き残し部分を少なくできる。
請求項２の発明とすることにより、ガイド体が取付け支持される支持部材の戸尻側パネル体に対する位置決めを、該戸尻側パネル体に外嵌されるエッジ部材を利用して容易に行うことができる。
【図面の簡単な説明】
【０００７】
【図１】（Ａ）（Ｂ）はトイレブースの正面図、側面図である。
【図２】トイレブースの平面図である。
【図３】トイレブースの戸体を省略した概略分解斜視図である。
【図４】円弧状ドア装置の平面図である。
【図５】（Ａ）（Ｂ）は吊りローラ部位の正面図、戸体部位の縦断面図である。
【図６】（Ａ）（Ｂ）（Ｃ）はガイドローラを取付けた状態の支持ブラケットの平面図、正面図、側面図である。
【図７】（Ａ）（Ｂ）はトイレブース内側から視た支持ブラケット取付け部位の正面図、平面図である。
【図８】ガイドローラ配設部位の平面図であって、（Ａ）は戸体閉鎖姿勢時、（Ｂ）は戸体開放姿勢時を示す。
【発明を実施するための形態】
【０００８】
以下、本発明の実施の形態について、図面に基づいて説明する。図面において、１はトイレブースであって、該トイレブース１は、左右に複数が隣接する状態で設けられたものであり、出入り口（開口）Ｅを構成すべく前面（正面）に左右間隔を存する状態で設けられる戸先側、戸尻側の前面パネル体２、３と、これら前面パネル体２、３が先端部（前端部）に設けられていてこれら前面パネル体２、３とトイレブース奥端の壁等の躯体面Ｗとのあいだを仕切る側面パネル体４とを備えることで平面視で矩形状に形成されていること等は何れも従来通りである。
尚、本実施の形態ではトイレブース１が左右に隣接されるものであり、この場合、隣接するトイレブース１間を仕切る側面パネル体４の先端部に設けられる中間の戸先側、戸尻側の前面パネル体２、３同士は左右に連続した一体もので構成され、端側の前面パネル体２，３は各別なもので構成されている。また、本実施の形態では、図２における左側のトイレブース１の左側面は、側面パネル４ではなく壁等の躯体面Ｗで形成されているが、これらの構成については必要において適宜実施できるものであることは言うまでもない。
【０００９】
５は平面視で円弧形状をした戸体であって、該戸体５は、戸体５の左右上端縁部に設けたブラケット６ａから上方に突出する状態でハンガーローラ（吊りローラ）６が設けられるが、該ハンガーローラ６が転動することで移動案内される吊りレール（ハンガーレール、案内レール）７は、前記戸体５の円弧形状に沿うよう円弧状をし、出入り口Ｅの上方とトイレブース１内に入り込む状態において左右方向一方（戸尻側）の側面パネル体４の上端部とに亘るように配設されている。尚、本実施の形態では、戸体５および吊りレール７は、図４に示すように、同一の円弧中心Ｏ、円弧半径となるように設計されている。また、本実施の形態の吊りレール７は、戸先側前面パネル体２に設けたブラケット７ａ、戸尻側前面パネル体３に設けたブラケット７ｂ、側面パネル体４（あるいは躯体面Ｗ）に設けた前後一対のブラケット７ｃ、７ｄに止着されることで取付けられている。そして前記ハンガーローラ６が吊りレール７を水平方向に転動することにより、戸体５は左右方向にスライド移動して前記出入り口Ｅを閉鎖する閉鎖姿勢と、トイレブース１の戸尻側側面パネル体４側のトイレブース１内に入り込む状態となって出入り口Ｅを開放（開口）する開放姿勢とに変姿するようになっているが、上記閉鎖姿勢において戸体５は、左右方向中央部が左右端部よりも前方側に突出し、且つ、左右端部（戸先側および戸尻側端部）が戸先側、戸尻側前面パネル体２、３のブース外側面２ａ、３ａよりもトイレブース１内に引き込まれた状態となるように構成されている。尚、Ｔはトイレブース１内に設けられる便器、Ｓは吊りレール７と戸体５とのあいだの前面側部位を塞ぐ塞ぎ板である。また、Ｆはトイレブース１が設置される床面であって、該床面Ｆと戸体５の下端との間には若干の間隙が存するように設定されている。
【００１０】
また、戸体５の戸先側端部のブース内外両側パネル面には把手１３が設けられ、ブース内側パネル面には施錠用操作具１４が設けられるが、戸体５の閉鎖状態で施錠用操作具１４を操作することにより、図示しない施錠体（施錠ロッド、ラッチ）が吊りレール７側に設けた施錠受け（図示せず）に突出係止し、これにより閉鎖姿勢の戸体５の施錠ができるようになっている。
さらに戸体５の戸先側端部、戸尻側端部にはそれぞれ戸体５用の端部材（エッジ部材）１５，１６が設けられ、これら端部材１５、１６にはゴム質弾性を有した緩衝材１５ａ、１６ａがさらに設けられている。さらにまた、戸体５の戸尻側端部に設けられた緩衝材１６ａには、閉鎖姿勢の戸体５と戸尻側前面パネル体３との間を目隠しするための目隠し材１６ｂが装着されている。
【００１１】
さらにトイレブース１には、戸体５が閉鎖した際に戸体５の戸先側端縁部が当接して受ける戸当り８、戸体５が全開するときの衝撃を緩衝するべく吊りレール７の戸尻側端部に配設された緩衝部材１０、戸体５の下面部に形成されたガイド溝２０に嵌入（係合）して戸体５の下部の開閉ガイドをする後述のガイドローラ（本発明のガイド体に相当する）２１が備えられている。尚、前記緩衝部材１０は、必要において戸先側に設けてもよいことは勿論である。
【００１２】
前記戸体５の下面部に形成されるガイド溝２０は、下側が開口し、戸体５の厚み方向に対向する一対の溝側面２０ａ、２０ｂを有した断面冂形状の溝であって、溝方向が戸体５の円弧形状に沿う状態で、戸体５の左右幅方向略全長に亘って設けられている。
【００１３】
一方、前記ガイド溝２０に嵌入するガイドローラ２１は、戸体５の移動方向に沿って互いに間隔を存する状態で複数（本実施の形態では、第一、第二ガイドローラ２１ａ、２１ｂの二個のガイドローラ）設けられているが、これら第一、第二ガイドローラ２１ａ、２１ｂは、支持ブラケット（本発明の支持部材に相当する）２２を介して戸尻側前面パネル体３に支持されている。該支持ブラケット２２は、戸尻側前面パネル体３のブース内側面３ｂにネジ２３を介して止着される矩形状の取付面部２２ａと、該取付面部２２ａの下端から水平方向に延びる支持面部２２ｂとを備えており、該支持面部２２ｂに、前記第一、第二ガイドローラ２１ａ、２１ｂが支持面部２２ｂから上方に突出する状態で回転自在に軸承されている。そして、これら第一、第二ガイドローラ２１ａ、２１ｂが前記戸体５側のガイド溝２０に相対移動自在に嵌入して戸体５の下部の開閉ガイドを行う構成になっている。
【００１４】
また、２４は戸尻側前面パネル体３の戸先側縁部（出入り口側縁部）に外嵌されるエッジ部材であって、前記支持ブラケット２２は、該エッジ部材２４により位置決めされた状態で、戸尻側前面パネル体３のブース内側面３ｂに取付けられるようになっている。つまり、支持ブラケット２２の取付面部２２ａを戸尻側前面パネル体３のブース内側面３ｂに取り付ける場合には、取付面部２２ａをブース内側面３ｂに面接触させた状態で、該取付面部２２ａのエッジ部材側端縁部２２ｃをエッジ部材２４の端縁部２４ａに当接させて位置決めすることにより、支持ブラケット２２を位置決めされた状態で戸尻側前面パネル体３に取付けることができるようになっている。そして、このようにして支持ブラケット２２を位置決め状態で取り付けることで、前記第一、第二ガイドローラ２１ａ、２１ｂを位置決めされた状態で配置することができるようになっている。
【００１５】
前記複数のガイドローラ２１のうち第一ガイドローラ２１ａの配置位置は、戸尻側前面パネル体３よりも戸先側で、且つ、戸尻側前面パネル体３のブース内側面３ｂの延長線Ｌ１とブース外側面３ａの延長線Ｌ２との間に位置するように設定されている。また、第二ガイドローラ２１ｂは、第一ガイドローラ２１ａとは間隔を存する状態で該第一ガイドレール２１ａよりもトイレブース１内方側に位置するとともに、該第二ガイドローラ２１ｂは、第一ガイドローラ２１ａと同様に、戸尻側前面パネル体３よりも戸先側で、且つ、第二ガイドローラ２１ｂの一部が戸尻側前面パネル体３のブース内側面３ｂの延長線Ｌ１とブース外側面３ａの延長線Ｌ２との間に位置するように設定されている。
【００１６】
そして、この様に配置された第一、第二ガイドローラ２１ａ、２１ｂは、戸体５の下端部に設けられたガイド溝２０に嵌入して戸体５の下部の開閉ガイドを行うが、この場合に、第一、第二の二つのガイドローラ２１ａ、２１ｂが戸体５の移動方向に沿って間隔を存する状態で設けられていることによって、円弧軌跡に沿ってスライド移動する戸体５の下部の開閉ガイドを円滑に行えるとともに、これら第一、第二ガイドローラ２１ａ、２１ｂは、ガイド溝２０の溝側面２０ａ、２０ｂに二箇所で当接して戸体５の下部の振れを規制することになる。さらに、戸体５の開閉作動時に戸体５の下部を外方側（前方側、外径側）に振らす遠心力が働いても、該遠心力も第一、第二ガイドローラ２１ａ、２１ｂの二箇所で受け止められることになる。しかも、これら第一、第二ガイドローラ２１ａ、２１ｂは、戸尻側前面パネル体３よりも戸先側で、且つ、第一、第二ガイドローラ２１ａ、２１ｂの少なくとも一部（本実施の形態では、第一ガイドローラ２１ａの全体、第二ガイドローラ２１ｂの一部）が、戸尻側前面パネル体３のブース内側面３ｂ、ブース外側面３ａの各延長線Ｌ１，Ｌ２間に位置するように設けられているため、閉鎖姿勢時および開放姿勢時における戸体５の引き残し部分（閉鎖姿勢時において戸体５がトイレブース１内に引き込まれている部分、開放姿勢時において戸体５が出入り口Ｅ側に出ている部分）を、可及的に少なく設定できる。
尚、図中、２５はモヘアであって、該モヘア２５は、基端側が戸尻側前面パネル体３の戸先側縁部に外嵌されるエッジ部材２４に取付けられ、先端側が戸体５に当接するように設けられている。
【００１７】
叙述の如く構成された本実施の形態において、戸体５は、共に円弧状をした吊りレール７に案内される状態で出入り口Ｅとトイレブース１の戸尻側部位に入り込んだ部位との間を円弧軌跡に沿ってスライド移動して出入り口Ｅの開閉をすることになるが、このものにおいて、戸体５の下部の開閉ガイドは、戸体円弧に沿う状態で戸体５の下部に設けられるガイド溝２０と、出入り口Ｅの戸尻側に配され、前記ガイド溝２０に相対移動自在に係合するガイドローラ２１とにより行われることになる。この場合に、ガイドローラ２１は、戸体５の移動方向に沿って間隔を存する状態で第一、第二の複数のガイドローラ２１ａ、２１ｂが設けられており、これら複数の第一、第二ガイドローラ２１ａ、２１ｂによって、円弧軌跡に沿ってスライド移動する戸体５の下部の開閉ガイドを円滑に行えるとともに、第一、第二ガイドローラ２１ａ、２１ｂがガイド溝２０の溝側面２０ａ、２０ｂに複数箇所で当接して戸体５の下部の振れを規制することになって、円弧状の吊りレール７に吊持された円弧状の戸体５であっても、戸体５の下部の振れを確実に抑止できる。さらに、戸体５の開閉作動時に戸体５の下部を外方側に振らす遠心力が働いても、該遠心力も複数の第一、第二ガイドローラ２１ａ、２１ｂで受け止められることになって、遠心力を受ける箇所が一箇所のみの場合のように戸体５に歪みが生じて円滑な開閉作動の妨げになるような不具合を回避できる。
【００１８】
しかも、前記複数の第一、第二ガイドローラ２１ａ、２１ｂは、出入り口Ｅの戸尻側に配される戸尻側前面パネル体３よりも戸先側で、且つ、戸尻側前面パネル体３のブース内外側面３ｂ、３ａの延長線Ｌ１、Ｌ２間に位置するように設けられているから、閉鎖姿勢時および開放姿勢時における戸体５の引き残し部分を可及的に少なく設定でき、この結果、戸体５の閉鎖状態でのトイレブース１内のスペースや、開放状態での出入り口Ｅの開口幅を広くできるとともに、戸体５の製造コストのコストダウンに寄与できる。
【００１９】
さらに、前記ガイドローラ２１（第一、第二ガイドローラ２１ａ、２１ｂ）は、該ガイドローラ２１が取付支持される支持ブラケット２２を介して戸尻側前面パネル体３に支持されることになるが、該支持ブラケット２２は、戸尻側前面パネル体３の戸先側縁部に外嵌されるエッジ部材２４を位置決め部材として戸尻側前面パネル体３に位置めされた状態で取付けられることになる。この結果、ガイドローラ２１が取付支持される支持ブラケット２２の戸尻側前面パネル体３に対する位置決めを、該戸尻側前面パネル体３のエッジ部材２４を利用して容易に行えることになって、取付け作業の作業性向上に大きく貢献できる。
【００２０】
尚、本発明は上記実施の形態に限定されないことは勿論であって、例えば、上記実施の形態では、ガイド体として第一、第二の二つのガイドローラ２１ａ、２２ｂが設けられているが、三つ以上のガイド体を設けても良い。また、上記実施の形態では、第一ガイドローラ２１ａは全体が、第二ガイドローラ２１ｂは一部が戸尻側前面パネル体３のブース内外側面３ｂ、３ａの延長線Ｌ１、Ｌ２間に位置するように設けられているが、本発明は、複数設けられたガイド体のうちの少なくとも一つが、戸尻側前面パネル体のブース内外側面の延長線間に位置するように設けられていれば良い。
因みに、複数のガイド体は、戸体の移動方向に間隔を存する状態で設けられるが、この場合に、戸体の閉鎖状態でも開放状態でも全てのガイド体が戸体側のガイド溝に係合している必要があるため、ガイド体同士は間隔を存してはいるが互いに近接する状態で配設されることになる。このため、複数のガイド体のうちの少なくとも一つが、戸尻側前面パネル体のブース内外側面の延長線間に位置するように設けられていれば、残りのガイド体も、戸尻側前面パネル体のブース内外側面の延長線間の近傍に位置することになって、上記実施の形態と同等の作用効果を奏することになる。
【産業上の利用可能性】
【００２１】
本発明は、トイレブースやシャワーブース等のブース用の円弧状ドア装置に利用することができる。
【符号の説明】
【００２２】
１  トイレブース
２  戸先側前面パネル体
３  戸尻側前面パネル体
３ａ  戸尻側前面パネル体のブース外側面
３ｂ  戸尻側前面パネル体のブース内側面
５  戸体
７  吊りレール
２０  ガイド溝
２１、２１ａ、２１ｂ  ガイドローラ
２２  支持ブラケット
２４  エッジ部材
Ｅ  出入り口
【図１】
2019148138.tif 000003
【図２】
2019148138.tif 000004
【図３】
2019148138.tif 000005
【図４】
2019148138.tif 000006
【図５】
2019148138.tif 000007
【図６】
2019148138.tif 000008
【図７】
2019148138.tif 000009
【図８】
2019148138.tif 000010